(57)【特許請求の範囲】
【請求項１】
テープ状部材に２次元コードを印刷するための情報を入力する入力手段と、
前記テープ状部材のテープ幅に関する情報を取得するテープ幅取得手段と、
取得した前記テープ幅に関する情報に応じて、前記入力手段により入力可能な最大情報量を決定し、当該最大情報量から既に入力された入力情報量を差し引いた残情報量を算出する残情報量算出手段と、
前記残情報量算出手段により算出した前記残情報量を表示する残情報量表示手段と、を備えたことを特徴とする情報入力装置。
【請求項２】
前記残情報量表示手段は、前記残情報量を目安となる残文字数で表示することを特徴とする請求項１に記載の情報入力装置。
【請求項３】
前記残情報量表示手段は、前記目安となる残文字数を文字種別に表示することを特徴とする請求項２に記載の情報入力装置。
【請求項４】
前記残情報量表示手段は、前記入力手段による入力に追随して前記残情報量を算出し、
前記残情報量表示手段は、前記残情報量算出手段による前記残情報量の算出毎に、前記残情報量の表示を更新することを特徴とする請求項１ないし３のいずれか１項に記載の情報入力装置。
【請求項５】
前記２次元コードの分割数の設定を行うユーザ設定手段をさらに備え、
前記残情報量算出手段は、前記ユーザ設定手段による設定内容を加味して前記最大情報量を決定し、当該最大情報量から前記入力情報量を差し引いて前記残情報量を算出することを特徴とする請求項１ないし４のいずれか１項に記載の情報入力装置。
【請求項６】
前記入力手段により入力された情報に基づいて、前記２次元コードを印刷するための印刷画像を生成する印刷画像生成手段をさらに備え、
前記印刷画像生成手段は、前記入力情報量に応じて前記２次元コードの外形およびセルサイズの少なくとも一方を決定し、当該決定に従って前記印刷画像を生成することを特徴とする請求項１ないし５のいずれか１項に記載の情報入力装置。
【請求項７】
請求項６に記載の情報入力装置における各手段と、
前記印刷画像生成手段により生成された前記印刷画像を前記テープ状部材に印刷する印刷手段と、を備えたことを特徴とするテープ印刷装置。
【請求項８】
前記テープ幅を検出するテープ幅検出手段をさらに備え、
前記テープ幅取得手段は、前記テープ幅に関する情報として、前記テープ幅検出手段の検出結果を取得することを特徴とする請求項７に記載のテープ印刷装置。
【請求項９】
テープ状部材に２次元コードを印刷するための情報を入力する際の入力案内方法であって、
前記テープ状部材のテープ幅に関する情報を取得するステップと、
取得した前記テープ幅に関する情報に応じて、入力可能な最大情報量を決定し、当該最大情報量から既に入力された入力情報量を差し引いた残情報量を算出するステップと、
算出した前記残情報量を表示するステップと、を実行することを特徴とする入力案内方法。
【請求項１０】
コンピュータに、請求項９に記載の入力案内方法における各ステップを実行させるためのプログラム。
【発明の詳細な説明】
【技術分野】
【０００１】
本発明は、テープ状部材に２次元コードを印刷するための情報を入力する情報入力装置、テープ印刷装置、入力案内方法およびそのプログラムに関するものである。
【背景技術】
【０００２】
従来、２次元コードを印刷するための情報入力装置として、入力された情報量が２次元コード化可能な情報量の上限を超えた場合に、エラー報知を行うものが知られている（例えば、特許文献１参照）。
【特許文献１】特開２００６−３０２１１８号公報
【発明の開示】
【発明が解決しようとする課題】
【０００３】
ところが、上記の情報入力装置では、ユーザが入力情報の確定操作を行った後、エラー報知を行うため、再度編集画面に戻って、入力情報が２次元コード化可能な最大情報量以下となるように入力情報を編集し直さなければならず、面倒であった。
【０００４】
本発明は、２次元コードを印刷するための情報入力時において、２次元コード化可能な最大情報量を超えた情報入力である超過入力を防止できる情報入力装置、テープ印刷装置、入力案内方法およびそのプログラムを提供することを課題としている。
【課題を解決するための手段】
【０００５】
本発明の情報入力装置は、テープ状部材に２次元コードを印刷するための情報を入力する入力手段と、テープ状部材のテープ幅に関する情報を取得するテープ幅取得手段と、取得したテープ幅に関する情報に応じて、入力手段により入力可能な最大情報量を決定し、当該最大情報量から既に入力された入力情報量を差し引いた残情報量を算出する残情報量算出手段と、残情報量算出手段により算出した残情報量を表示する残情報量表示手段と、を備えたことを特徴とする。
【０００６】
本発明の入力案内方法は、テープ状部材に２次元コードを印刷するための情報を入力する際の入力案内方法であって、テープ状部材のテープ幅に関する情報を取得するステップと、取得したテープ幅に関する情報に応じて、入力可能な最大情報量を決定し、当該最大情報量から既に入力された入力情報量を差し引いた残情報量を算出するステップと、算出した残情報量を表示するステップと、を実行することを特徴とする。
【０００７】
これらの構成によれば、２次元コードを印刷するための情報入力の際に、印刷媒体となるテープ状部材のテープ幅に応じて当該テープ状部材に入力可能な最大情報量を算出し、当該最大情報量から既に入力した情報量を差し引いた、残情報量をディスプレイなどに表示するため、ユーザは、あとどれだけの情報を入力できるかを知ることができる。また、同時に２次元コード化可能な最大情報量を超えた情報入力（超過入力）に気づくことができるため、入力情報の確定後に編集画面に戻って入力情報を編集し直すなどの手間を省くことができる。
【０００８】
この場合、残情報量表示手段は、残情報量を目安となる残文字数で表示することが、好ましい。
【０００９】
この構成によれば、ユーザは情報入力時において、残情報量を目安となる文字数で知ることができるため、残り何文字分の情報を入力できるかを容易に判断できる。
【００１０】
この場合、残情報量表示手段は、残情報量の目安となる残文字数を文字種別に表示することが、好ましい。
【００１１】
この構成によれば、ユーザは、残情報量を文字種別に把握できるため、より正確な残文字数を知ることができ、文字種を組み合わせた情報を入力する際に有用である。なお、「文字種」とは、全角文字、半角文字、半角数字などで区別される文字の種類を指すものである。
【００１２】
この場合、残情報量表示手段は、入力手段による入力に追随して残情報量を算出し、残情報量表示手段は、残情報量算出手段による算出毎に、残情報量の表示を更新することが、好ましい。
【００１３】
この構成によれば、情報の入力に追随して残情報量が更新されるため、リアルタイムに残情報量を確認できる。
【００１４】
この場合、２次元コードの分割数の設定を行うユーザ設定手段をさらに備え、残情報量算出手段は、ユーザ設定手段による設定内容を加味して最大情報量を決定し、当該最大情報量から入力情報量を差し引いて残情報量を算出することが、好ましい。
【００１５】
この構成によれば、分割数をユーザの好みや使用用途に応じて設定することができる。また、一般的に分割数が多いほど、２次元コード化可能な最大情報量は多くなるが、そのような点を考慮したアルゴリズムに基づいて、より正確に残情報量を算出することができる。なお、「分割数」とは、入力情報を幾つの２次元コードで表すかを指すものである。つまり、入力情報を２つの２次元コードに分割して表す場合、分割数は「２」となる。
【００１６】
この構成によれば、入力手段により入力された情報に基づいて、２次元コードを印刷するための印刷画像を生成する印刷画像生成手段をさらに備え、印刷画像生成手段は、入力情報量に応じて２次元コードの外形およびセルサイズの少なくとも一方を決定し、当該決定に従って印刷画像を生成することが、好ましい。
【００１７】
この構成によれば、テープ幅に対して最大となる２次元コード（最大情報量を表すための２次元コード）のサイズに対して入力情報量が少ない場合、コードの外形を小さくしたりセルサイズを大きくしたりすることができる。これにより、使用するテープ量を削減したり２次元コードの誤認識の割合を軽減したりすることができる。
【００１８】
本発明のテープ印刷装置は、情報入力装置における各手段と、印刷画像生成手段により生成された印刷画像をテープ状部材に印刷する印刷手段と、を備えたことを特徴とする。
【００１９】
この効果によれば、情報の入力から、テープ状部材への２次元コードの印刷までを１台のテープ印刷装置で実行することが可能となり、作業効率の向上が見込まれる。
【００２０】
この場合、テープ幅を検出するテープ幅検出手段をさらに備え、テープ幅取得手段は、テープ幅に関する情報として、テープ幅検出手段の検出結果を取得することが、好ましい。
【００２１】
この効果によれば、ユーザがテープ幅を入力する必要が無いため、その手間を省くことができると共に誤入力を防止することができる。
【００２２】
本発明のプログラムは、コンピュータに、上記に記載の入力案内方法における各ステップを実行させるためのものであることを特徴とする。
【００２３】
このプログラムを用いることにより、２次元コードを印刷するための情報入力時において、超過入力を防止できる。
【発明を実施するための最良の形態】
【００２４】
以下、添付の図面を参照しながら、本発明の一実施形態に係る情報入力装置、テープ印刷装置、入力案内方法およびそのプログラムについて説明する。本実施形態では、本発明の情報入力装置を、２次元コードを印刷するための情報入力から、印刷テープ（テープ状部材）への２次元コードの印刷までを１台で実行可能なテープ印刷装置に適用した場合を例示する。
【００２５】
図１に示すように、テープ印刷装置１は、印刷テープＴに対して印刷処理を行う装置本体２と、印刷テープＴおよびインクリボンＲを収容し、装置本体２に着脱自在に装着されるテープカートリッジＣとを備えている。
【００２６】
装置本体２は、装置ケース３により外殻が形成され、装置ケース３の前半部上面には、各種キー５を備えたキーボード６が配設されている。装置ケース３の後半部左上面には、開閉蓋７が設けられ、当該開閉蓋７には、テープカートリッジＣの装着／非装着を視認する為の覗き窓８が形成されている。装置ケース３の後半右上面には、キーボード６からの入力結果などを表示するディスプレイ９が配設され、後半部左上面には、開閉蓋７により覆われると共に窪入形成されたカートリッジ装着部１０が設けられている。
【００２７】
開閉蓋７は、その前面に設けられた蓋体開放ボタン１０１が押されることで開閉し、開閉蓋７を開放したカートリッジ装着部１０には、テープカートリッジＣが装着される。
【００２８】
装置ケース３には、その左部にカートリッジ装着部１０と装置外部とを連結する印刷テープ排出口１０２が形成されており、この印刷テープ排出口１０２に臨むように、印刷テープＴを切断するためのカッタユニット１０３が内蔵されている。カッタユニット１０３は、フルカッタモータ２０８により、印刷テープＴを切断するフルカッタ２０７を備えている（いずれも図２参照）。
【００２９】
カートリッジ装着部１０には、発熱素子を有するサーマルヘッド１０４が設けられている。テープカートリッジＣが装着されると、サーマルヘッド１０４が印刷テープＴおよびインクリボンＲを挟んで、テープカートリッジＣに設けられたプラテンローラ１５３に当接し、印刷待機状態となる。そして、印刷処理が開始されると、送りモータや減速ギア列等で構成された動力伝達機構（図示省略）によりプラテンローラ１５３を回転させ、印刷テープＴおよびインクリボンＲを送りながら印刷テープＴに印刷処理を行う。また、カートリッジ装着部１０には、複数のマイクロスイッチ等で構成されたテープ識別センサ２１３が配設されている（図２参照）。
【００３０】
テープカートリッジＣは、カートリッジケース１５１と、カートリッジケース１５１内部に収容した印刷テープＴと、同様にカートリッジケース１５１内部に収容したインクリボンＲと、インクリボンＲと印刷テープＴが重なる送出口付近に位置し、回転駆動するプラテンローラ１５３と、を有している。カートリッジケース１５１の左側部には、印刷テープＴの出口となる送出口が形成され、また、カートリッジケース１５１左下部には、サーマルヘッド１０４を覆うヘッドカバー１０５に差し込むための貫通開口１５２が形成されている。なお、カートリッジケース１５１の裏面には、小さな複数の被検出孔が形成されており（図示省略）、上記テープ識別センサ２１３により識別できるようになっている。
【００３１】
印刷テープＴは、裏面に粘着剤が塗着された記録テープＴ１と、粘着剤を介して記録テープＴ１に貼付された剥離テープＴ２と、から構成されており、剥離テープＴ２を内側にしてロール状に巻回されてカートリッジケース１５１に収容されている。
【００３２】
テープカートリッジＣをカートリッジ装着部１０に装着した後、ラベル作成印刷処理の開始を指示すると、プラテンローラ１５３が回転して、印刷テープＴおよびインクリボンＲを送りながら、サーマルヘッド１０４により印刷処理が行われる。印刷処理後の印刷テープＴは、印刷済み部分がフルカッタ２０７により切断され、切断されたテープ片がラベルとして印刷テープ排出口１０２から外部に排出される。
【００３３】
次に、図２を参照して、テープ印刷装置１の制御系の構成について説明する。テープ印刷装置１は、操作部２０１と、印刷処理部４と、切断部２０２と、駆動部２０３と、検出部２０４と、これら各部と接続され、テープ印刷装置１全体を制御する制御部２０５と、により構成されている。操作部２０１は、キーボード６と、ディスプレイ９と、を有し、ユーザによる情報の入力や各種情報の表示などユーザインターフェイスを司る。印刷処理部４は、テープカートリッジＣと、サーマルヘッド１０４と、印刷送りモータ２０６と、を有し、印刷テープＴおよびインクリボンＲを送りながら入力情報に基づく２次元コード（例えば、コード画像３０６）を印刷テープＴ上に印刷する。切断部２０２は、フルカッタ２０７と、これを駆動するフルカッタモータ２０８と、を有し、印刷済みの印刷テープＴにフルカットを行う。駆動部２０３は、ディスプレイドライバ２０９と、ヘッドドライバ２１０と、印刷送りモータドライバ２１１と、カットモータドライバ２１２と、を有し、各部を駆動する。検出部２０４は、テープ識別センサ２１３を有し、テープ幅等を検出する。
【００３４】
制御部２０５は、ＣＰＵ２１４と、ＲＯＭ２１５と、ＲＡＭ２１６と、ＩＯＣ２１７と、を備え、互いに内部バス２１８により接続されている。ＲＡＭ２１６は、制御処理のための作業領域として使用され、入力された文字情報の他、２次元コードのセルサイズや誤り訂正率に関する情報などを一時的に記憶する。また、ＲＡＭ２１６は、テープ印刷装置１の電源をオフにされても記憶したデータを保存して置くように図外のバックアップ回路によって電力の供給を受けるようになっている。
【００３５】
ＲＯＭ２１５内には、ＣＰＵ２１４が各種処理を実行するための制御プログラムが記憶されている。具体的には、２次元コードのセルサイズを設定するセルサイズ設定プログラム、誤り訂正率について設定を行う誤り訂正率設定プログラム、テープ識別センサ２１３の検出結果から印刷テープＴのテープ幅情報を取得するテープ幅情報取得プログラム、テープ幅等の情報に応じて２次元コード化可能な最大情報量（最大文字数）を決定し、当該最大情報量から既に入力された入力情報量を差し引いた残情報量（残文字数）を算出する残情報量算出プログラム、算出した残情報量をディスプレイ９に表示させる残情報量表示プログラム、入力情報量に応じて、２次元コードの外形やセルサイズを決定し、２次元コードを印刷するためのコード画像を生成する印刷画像生成プログラム、が記憶されている。
【００３６】
そして、ＣＰＵ２１４は、ＲＯＭ２１５内の各種制御プログラムに従って、ＩＯＣ２１７を介してテープ印刷装置１の各部から各種信号・データを入力する。また、入力した各種信号・データに基づいてＲＡＭ２１６内のデータを処理し、ＩＯＣ２１７を介してテープ印刷装置１内の各部に処理済のデータを出力し、これにより印刷処理の制御等を行う。
【００３７】
ここで、図３を参照し、テープ印刷装置１（ＣＰＵ２１４）による２次元コードを印刷するための印刷処理の手順について説明する。なお、以下の説明では、２次元コードとしてＱＲコードを印刷する場合を例示する。まず、テープ幅情報取得プログラムに基づいて、テープ幅情報を取得する（Ｓ１）。「テープ幅情報」とは、テープカートリッジＣに収容された印刷テープＴの幅を示す情報を指す。次に、セルサイズ設定プログラムに基づいて、セルサイズ情報を取得する（Ｓ２）。「セルサイズ情報」とは、３段階に設定された２次元コードのデータ領域におけるデータセルのサイズを指定する情報を指す。続いて、誤り訂正率設定プログラムに基づいて、誤り訂正率情報を取得する（Ｓ３）。「誤り訂正率情報」とは、４段階に設定された誤り訂正率を指定する情報を指す。そして、これらの取得した情報と、残情報量算出プログラムに基づいて残文字数を決定し、ディスプレイ９に表示する（Ｓ４）。なお、「残文字数」とは、上記のとおり「最大文字数―入力文字数」によって求められる。この時点では、「入力文字数＝０」であるため「最大文字数＝残文字数」である（図４（ｃ）参照）。なお、「最大文字数」は、テープ幅情報、セルサイズ情報および誤り訂正率情報に基づいて算出される。具体的には印刷テープＴのテープ幅に応じて、印刷可能な２次元コードの最大サイズ、設定されたセルサイズおよび誤り訂正率を加味して、最大文字数を決定する。本実施形態では、セルサイズが３段階、誤り訂正率が４段階で設定可能となっているが、セルサイズおよび誤り訂正率が大きいほど、最大文字数は少なくなる。
【００３８】
なお、「最大文字数」は、文字種（全角文字、半角文字あるいは半角数字）別に表示する（図４（ｃ）参照）。また、ここでは、セルサイズおよび誤り訂正率を設定しているが、いずれか１の項目のみを設定する構成としてもよい。また、テープ幅情報、セルサイズ情報および誤り訂正率情報の取得順序は、上記の例に限定されるものではない。
【００３９】
続いて、ユーザによるキーボード６の操作によって２次元コード化するための文字情報が入力され、これを取得する（Ｓ５）。ＣＰＵ２１４は、入力完了操作が行われるまで（Ｓ６：Ｎｏ）、文字情報の確定操作毎に残文字数を算出し、ディスプレイ９に表示する（Ｓ４）。当該工程では、入力文字のコードに基づいて文字種を確定し、当該文字種と入力文字数とに基づいて残文字数を算出する。ここで、ユーザにより入力完了操作が行われると（Ｓ６：Ｙｅｓ）、入力された文字情報に基づいて２次元コードを印刷するための画像（ＱＲコード画像）を生成し（Ｓ７）、これを印刷テープＴに印刷する（Ｓ８）。
【００４０】
次に、図４ないし図６の画面遷移図を参照し、印刷処理の手順について詳細に説明する。ここでは、既にテープカートリッジＣが装着され、テープ幅が検出されているものとする。まず、不図示のテキスト入力画面（テキスト入力可能状態）において、キー５の一つであるバーコードキーが押されると、ディスプレイ９に、図４（ａ）に示すようにセルサイズ入力画面３０１を表示する。セルサイズ入力画面３０１は、「大」、「中」および「小」といった３種類のセルサイズの中から１を選択可能となっている。ここでは、図４（ａ）に示すように「小」が選択された状態で「選択キー」が押されたものとする。
【００４１】
セルサイズ情報を取得すると、図４（ｂ）に示すように、誤り訂正率入力画面３０２に遷移する。誤り訂正率入力画面３０２では、「７％」、「１５％」、「２５％」および「３０％」といった４種類の誤り訂正率の中から１を選択可能となっている。ここでは、図４（ｂ）に示すように、「２５％」が選択された状態で「選択キー」が押されたものとする。
【００４２】
誤り訂正率の情報が取得されると、図４（ｃ）に示すように入力情報画面３０３を表示する。入力情報画面３０３では、コード化する任意の文字を入力する文字入力欄３０４および上述した最大文字数を文字種別に表示する。ここでは、全角文字では１００文字、半角文字では１５０文字、半角数字では２５０文字、として表示する。ここでは、最大情報量は、目安となる文字数で表示しているが、ｂｙｔｅ表示あるいはインジケータ表示など、残情報量の目安が認識可能な方法であれば、これらに限定されるものではない。そして、ユーザは、ＱＲコード化するための文字情報をキーボード６のキー５ｂで入力する。ここでは、「あいうえお」と入力されたものとする（図５（ｄ）参照）。
【００４３】
ここで、「選択キー」が押されると、図５（ｅ）に示すように文字入力欄３０４の文字が確定された入力情報画面３０３を表示する。ここでは、入力された文字のコードから文字種を確定して文字数を算出し、残文字数を表示する。図示の例のように「あいうえお」が全角文字として５文字入力された場合、残文字数は、全角文字で１００文字から９５文字、半角文字で２００文字から１９７文字、半角数字で２５０文字から２４８文字と、それぞれ入力情報量に応じた文字数を最大文字数から差し引いて表示する（図５（ｅ）参照）。
【００４４】
ここで、「選択キー」が押されると、図５（ｆ）に示すように完了／改行画面３０５を表示する。完了／改行画面３０５では、「改行」および「入力完了」といった２種類の選択肢からいずれかを選択可能となっている。ここでは、「入力完了」が選択されたものとする。なお、「改行」が選択された場合は、２行目の文字入力が可能となる。
【００４５】
その後、図６（ｇ）に示すようなプレビュー画面３１１に遷移し、コード画像３０６を作成してディスプレイ９に表示し、ユーザによる「印刷キー」の操作によって印刷テープＴに、コード画像３０６を印刷する。
【００４６】
なお、コード画像作成の際、上述した最大情報量に対して、入力情報量が少ない場合には、図６（ｈ）に示すようにコードの外形が小さい画像３０７または図６（ｉ）に示すようにセルサイズが大きい画像３０８を作成する。つまり、テープ幅に対して最大となる２次元コード（最大情報量を表すための２次元コード）のサイズに対して入力情報量が少ない場合に、コードの外形を小さくしたりセルサイズを大きくしたりすることで、使用するテープ量を削減したり２次元コードの誤認識の割合を軽減したりすることができる。なお、最大情報量に対して入力情報量が少ない場合、コードの外形を小さくするかセルサイズを大きくするかについて、予め環境設定等において設定できるようにしてもよい。
【００４７】
以上のように、本実施形態のテープ印刷装置１によれば、印刷テープＴの幅に応じた最大情報量から入力情報量を差し引いた残情報量が、残文字数としてコード化したい情報を入力する度に算出、表示されるため、２次元コード化する情報の入力超過を防止することができ、入力超過による再操作が不要となる。
【００４８】
なお、本実施形態では、テープ印刷装置１に印刷データプログラムを内蔵したが、この構成に変えて、テープ印刷装置１とテープ印刷装置１の外部に設けられ、上記の各種制御プログラムを内蔵したデータ作成装置（コンピュータ）とこれらを接続するケーブルと、で構成された印刷システムに適用してもよい。また、２次元コードを印刷するのではなく、表示する装置（携帯電話等）に本発明を適用することも可能である。
【００４９】
なお、本実施形態では、ＱＲコードを作成する方法を示したが、図７（ａ）に示すようにバーコード選択画面３１２を表示して、ユーザが使用用途に合わせて「ＱＲコード」、「ＮＷ−７」、「ＩＴＦ」、「ＣＯＤＥ３９」、「ＪＡＮ−３９」、「ＪＡＮ−８」、「ＵＰＣ−Ａ」および「ＵＰＣ−Ｅ」といった８種類のバーコードの中から１を選択可能としてもよい。
【００５０】
また、本実施形態においては、自動的に印刷テープＴのテープ幅に関する情報を取得したが、図７（ｂ）に示すように、バーコード選択画面から所望のコードを選択後に表示される画面の１つとしてテープ幅入力画面３１３を表示し、ユーザがキーボード６のキー５ａを操作して任意のテープ幅に関する情報（テープ幅を示す数値）を直接入力することにより、印刷テープＴのテープ幅に関する情報を取得してもよい。
【００５１】
更に、本実施形態では、作成するコード画像３０６のセルサイズを３段階から選択する方法を示したが、ユーザがキーボード６のキー５ａを操作してセルサイズを数値入力することにより、セルサイズに関する情報を取得してもよい。
【００５２】
また、本実施形態では、誤り訂正率を設定したが、その他に、図７（ｃ）に示すように分割数設定画面３１４により「分割数」を設定するようにしても良い。なお、「分割数」とは、入力情報を幾つの２次元コードで表すかを指すものである。また、上述した分割数の情報を取得した場合には、図６（ｊ）に示すように２つのコード画像３０９を作成する。以上の操作を行い、印刷テープＴに所望のコード画像を印刷することが可能となる。
【００５３】
また、上記の実施形態に示した、テープ印刷装置１の各構成要素をプログラムとして提供することが可能である。また、そのプログラムを各種記録媒体（ＣＤ−ＲＯＭ、フラッシュメモリ等）に格納して提供することも可能である。すなわち、コンピュータを、テープ印刷装置１の各手段として機能させるためのプログラム、およびそれを記録した記録媒体も、本発明の権利範囲に含まれるものである。
【図面の簡単な説明】
【００５４】
【図１】テープ印刷装置の開蓋状態の外観斜視図である。
【図２】テープ印刷装置の制御ブロック図である。
【図３】２次元コード作成のフローチャートである。
【図４】（ａ）はコードメニューの模式図、（ｂ）はセルサイズメニューの模式図、（ｃ）は誤り訂正率メニューの模式図、（ｄ）は分割メニューの模式図である。
【図５】（ｅ）はテープ幅メニューの模式図、（ｆ）は入力情報メニューの模式図、（ｇ）は入力情報および残情報量表示メニューの模式図、（ｈ）は文字種メニューの模式図である。
【図６】（ｉ）は完了／改行メニューの模式図、（ｊ）はコード画像プレビューの模式図、（ｋ）はコード画像プレビューの模式図、（ｌ）はコード画像プレビューの模式図である。
【図７】（ａ）はバーコード選択画面の模式図、（ｂ）はテープ幅入力画面の模式図、（ｃ）は分割数選択画面の模式図である。
【符号の説明】
【００５５】
１…テープ印刷装置  Ｔ…印刷テープ（テープ状部材）  ３０１…セルサイズ設定画面  ３０２…誤り訂正率設定画面  ３０３…入力情報画面  ３０５…完了／改行画面  ３１１…プレビュー画面
【図１】
0005045279.tif 000002
【図２】
0005045279.tif 000003
【図３】
0005045279.tif 000004
【図４】
0005045279.tif 000005
【図５】
0005045279.tif 000006
【図６】
0005045279.tif 000007
【図７】
0005045279.tif 000008